(57)【要約】【課題】測定コストを低減することができるリップシンク測定方法およびリップシンク測定用回路を提供する。【解決手段】映像信号出力装置１が出力した映像信号はＤＶＤレコーダ３の映像入力部３ａに入力されると共に、リップシンク測定用回路２が有するシンクセパレータ２ｃに入力され、シンクセパレータ２ｃが映像信号から抽出した垂直同期信号がレベル調整回路２ｄに入力され、レベル調整回路２ｄによりレベル調整された垂直同期信号が音声信号として音声入力部３ｂに入力され、映像出力部３ｃが出力した映像信号がシンクセパレータ２ｇに入力され、シンクセパレータ２ｇが映像信号から抽出した垂直同期信号がオシロスコープ４に入力され、音声出力部３ｄが出力した音声信号がオシロスコープ４に入力され、オシロスコープ４を用いて垂直同期信号と音声信号との位相差を測定する。【選択図】図１
2008148084.tif 000002
【特許請求の範囲】
【請求項１】
映像信号出力装置が出力した映像信号を電子機器が有する映像入力部に入力させる第一の入力ステップと、
前記映像信号から垂直同期信号を抽出する第一の抽出ステップと、
前記第一の抽出ステップで抽出された垂直同期信号をレベル調整するレベル調整ステップと、
前記レベル調整ステップでレベル調整された垂直同期信号を音声信号として前記電子機器が有する音声入力部に入力させる第二の入力ステップと、
前記電子機器が前記映像入力部に入力された映像信号を前記電子機器が有する映像出力部にスルー出力し、前記映像出力部が出力した映像信号から垂直同期信号を抽出する第二の抽出ステップと、
前記第二の抽出ステップで抽出された垂直同期信号を電気計測器に入力させる第三の入力ステップと、
前記電子機器が前記音声入力部に入力された音声信号を前記電子機器が有する音声出力部にスルー出力し、前記音声出力部が出力した音声信号を前記電気計測器に入力させる第四の入力ステップと、
前記電気計測器を用いて前記垂直同期信号と前記音声信号との位相差を測定する測定ステップと、
からなることを特徴とするリップシンク測定方法。
【請求項２】
映像信号出力装置が出力した映像信号を電子機器が有する映像入力部に入力させる第一の入力ステップと、
前記映像信号から垂直同期信号を抽出する第一の抽出ステップと、
前記第一の抽出ステップで抽出された垂直同期信号をレベル調整するレベル調整ステップと、
前記レベル調整ステップでレベル調整された垂直同期信号を音声信号として前記電子機器が有する音声入力部に入力させる第二の入力ステップと、
前記電子機器が前記映像入力部に入力された映像信号を記録媒体に記録し、前記記録媒体の再生により得られた映像信号を前記電子機器が有する映像出力部から出力し、前記映像出力部が出力した映像信号から垂直同期信号を抽出する第二の抽出ステップと、
前記第二の抽出ステップで抽出された垂直同期信号を電気計測器に入力させる第三の入力ステップと、
前記電子機器が前記音声入力部に入力された音声信号を前記記録媒体に記録し、前記記録媒体の再生により得られた音声信号を前記電子機器が有する音声出力部から出力し、前記音声出力部が出力した音声信号を前記電気計測器に入力させる第四の入力ステップと、
前記電気計測器を用いて前記垂直同期信号と前記音声信号との位相差を測定する測定ステップと、
からなることを特徴とするリップシンク測定方法。
【請求項３】
映像信号出力装置が出力した映像信号が入力され該入力された映像信号から垂直同期信号を抽出して出力する第一のシンクセパレータと、
前記第一のシンクセパレータが出力した垂直同期信号をレベル調整して該レベル調整された垂直同期信号を音声信号として電子機器が有する音声入力部に出力するレベル調整回路と、
前記電子機器が有する映像出力部が出力した映像信号が入力され該入力された映像信号から垂直同期信号を抽出して電気計測器に出力する第二のシンクセパレータと、を有することを特徴とするリップシンク測定用回路。
【請求項４】
映像信号出力装置が出力した映像信号を電子機器が有する映像入力部に入力させる第一の入力ステップと、
前記映像信号から垂直同期信号を抽出する第一の抽出ステップと、
前記第一の抽出ステップで抽出された垂直同期信号に基づく信号を音声信号として前記電子機器が有する音声入力部に入力させる第二の入力ステップと、
前記映像入力部に入力された映像信号に基づく映像信号が前記電子機器が有する映像出力部から出力され、前記映像出力部が出力した映像信号から垂直同期信号を抽出する第二の抽出ステップと、
前記第二の抽出ステップで抽出された垂直同期信号を電気計測器に入力させる第三の入力ステップと、
前記音声入力部に入力された音声信号に基づく音声信号が前記電子機器が有する音声出力部から出力され、前記音声出力部が出力した音声信号を前記電気計測器に入力させる第四の入力ステップと、
前記電気計測器を用いて前記垂直同期信号と前記音声信号との位相差を測定する測定ステップと、
からなることを特徴とするリップシンク測定方法。
【請求項５】
前記第二の入力ステップは、前記第一の抽出ステップで抽出された垂直同期信号をレベル調整するステップと、レベル調整された垂直同期信号を音声信号として前記音声入力部に入力させるステップと、からなることを特徴とする請求項４に記載のリップシンク測定方法。
【請求項６】
前記電子機器が前記映像入力部に入力された映像信号を前記映像出力部にスルー出力し、前記電子機器が前記音声入力部に入力された音声信号を前記音声出力部にスルー出力する、ことを特徴とする請求項４に記載のリップシンク測定方法。
【請求項７】
前記電子機器が前記映像入力部に入力された映像信号および前記音声入力部に入力された音声信号を記録媒体に記録し、前記記録媒体の再生により得られた映像信号を前記映像出力部から出力し、前記記録媒体の再生により得られた音声信号を前記音声出力部から出力する、ことを特徴とする請求項４に記載のリップシンク測定方法。
【請求項８】
映像信号出力装置が出力した映像信号が入力され該入力された映像信号から垂直同期信号を抽出して出力する第一のシンクセパレータを有し、前記第一のシンクセパレータが出力した垂直同期信号に基づく信号を音声信号として電子機器が有する音声入力部に出力し、
前記電子機器が有する映像出力部が出力した映像信号が入力され該入力された映像信号から垂直同期信号を抽出して電気計測器に出力する第二のシンクセパレータをさらに有することを特徴とするリップシンク測定用回路。
【発明の詳細な説明】
【技術分野】
【０００１】
本発明は、映像音声間の同期ずれであるリップシンクの測定方法およびその測定用回路に関する。
【背景技術】
【０００２】
ＤＶＤレコーダ等の映像入出力部および音声入出力部を備える電子機器の量産工程においては、映像音声間の同期ずれであるリップシンクの測定が行われる。
【０００３】
リップシンクの測定に関して、例えば特許文献１には、白色信号、黒色信号および垂直同期信号からなる映像信号を発生するテレビ信号発生器と、音声信号を発生する音声信号発生器と、白色信号および黒色信号が供給される第１のセレクタと、音声信号が供給される第２のセレクタと、垂直同期信号を基にして一定の周期のキーイング信号を作り出すキーイング信号発生器とを設け、キーイング信号に同期させて第１のセレクタおよび第２のセレクタをそれぞれ切り換えることにより、互いに同期した白色信号と音声信号をそれぞれ間欠的に含む出力映像信号と出力音声信号を生成して画像伝送機器に通した後、出力音声信号に対する出力映像信号の遅延時間を測定するものが開示されている。
【特許文献１】特開平８−１８９３０号公報
【発明の開示】
【発明が解決しようとする課題】
【０００４】
しかし、上記特許文献１のリップシンクの測定方法では、テレビ信号発生器とは別に音声信号発生器が必要であり測定コストが高くなってしまうという問題点があった。
【０００５】
上記問題点を鑑み、本発明は、測定コストを低減することができるリップシンク測定方法およびリップシンク測定用回路を提供することを目的とする。
【課題を解決するための手段】
【０００６】
上記目的を達成するために本発明のリップシンク測定方法は、映像信号出力装置が出力した映像信号を電子機器が有する映像入力部に入力させる第一の入力ステップと、
前記映像信号から垂直同期信号を抽出する第一の抽出ステップと、
前記第一の抽出ステップで抽出された垂直同期信号に基づく信号を音声信号として前記電子機器が有する音声入力部に入力させる第二の入力ステップと、
前記映像入力部に入力された映像信号に基づく映像信号が前記電子機器が有する映像出力部から出力され、前記映像出力部が出力した映像信号から垂直同期信号を抽出する第二の抽出ステップと、
前記第二の抽出ステップで抽出された垂直同期信号を電気計測器に入力させる第三の入力ステップと、
前記音声入力部に入力された音声信号に基づく音声信号が前記電子機器が有する音声出力部から出力され、前記音声出力部が出力した音声信号を前記電気計測器に入力させる第四の入力ステップと、
前記電気計測器を用いて前記垂直同期信号と前記音声信号との位相差を測定する測定ステップと、
からなることを特徴としている。
【０００７】
このような構成によれば、映像信号出力装置と別に音声信号を出力する装置を用意する必要なくリップシンクを測定でき、測定コストを低減することができる。
【０００８】
また、本発明のリップシンク測定方法は上記構成において、前記第二の入力ステップは、前記第一の抽出ステップで抽出された垂直同期信号をレベル調整するステップと、レベル調整された垂直同期信号を音声信号として前記音声入力部に入力させるステップと、からなることを特徴としている。このような構成によれば、適正なレベルの音声信号を音声入力部に入力させることができる。
【０００９】
また、本発明のリップシンク測定方法は上記構成において、前記電子機器が前記映像入力部に入力された映像信号を前記映像出力部にスルー出力し、前記電子機器が前記音声入力部に入力された音声信号を前記音声出力部にスルー出力することを特徴としている。このような構成によれば、電子機器のスルー出力におけるリップシンクを測定できる。
【００１０】
また、本発明のリップシンク測定方法は上記構成において、前記電子機器が前記映像入力部に入力された映像信号および前記音声入力部に入力された音声信号を記録媒体に記録し、前記記録媒体の再生により得られた映像信号を前記映像出力部から出力し、前記記録媒体の再生により得られた音声信号を前記音声出力部から出力することを特徴としている。このような構成によれば、電子機器の録画再生におけるリップシンクを測定できる。
【００１１】
また、本発明のリップシンク測定用回路は、映像信号出力装置が出力した映像信号が入力され該入力された映像信号から垂直同期信号を抽出して出力する第一のシンクセパレータを有し、前記第一のシンクセパレータが出力した垂直同期信号に基づく信号を音声信号として電子機器が有する音声入力部に出力し、
前記電子機器が有する映像出力部が出力した映像信号が入力され該入力された映像信号から垂直同期信号を抽出して電気計測器に出力する第二のシンクセパレータをさらに有することを特徴としている。
【００１２】
このような構成によれば、映像信号出力装置と別に音声信号を出力する装置を用意する必要なくリップシンクを測定でき、測定コストを低減することができる。
【００１３】
また、本発明のリップシンク測定用回路は上記構成において、前記第一のシンクセパレータが出力した垂直同期信号をレベル調整して該レベル調整された垂直同期信号を音声信号として前記音声入力部に出力するレベル調整回路をさらに有することを特徴としている。このような構成によれば、適正なレベルの音声信号を音声入力部に入力させることができる。
【発明の効果】
【００１４】
本発明のリップシンク測定方法およびリップシンク測定用回路によれば、測定コストを低減することができる。
【発明を実施するための最良の形態】
【００１５】
以下、本発明の実施形態について図面を参照して説明する。ここでは、一例としてＤＶＤレコーダについてのリップシンク測定について述べる。
【００１６】
図１に、本発明に係るリップシンク測定システムの概略構成図を示す。本発明に係るリップシンク測定システムは、映像信号出力装置１と、リップシンク測定用回路２と、被評価機器としてのＤＶＤレコーダ３と、オシロスコープ４とから構成される。
【００１７】
リップシンク測定用回路２は、入力端子２ａと、出力端子２ｂと、シンクセパレータ２ｃと、レベル調整回路２ｄと、出力端子２ｅと、入力端子２ｆと、シンクセパレータ２ｇと、出力端子２ｈと、入力端子２ｉと、出力端子２ｊとを有し、これら入力端子２ａ〜出力端子２ｊはリップシンク測定用回路２が有する同一の基板に設けられる。
【００１８】
映像信号出力装置１は、例えば専用のビデオ信号発生器やＤＶＤプレーヤであって、入力端子２ａとケーブルにより電気的接続される。出力端子２ｂは、ケーブルによりＤＶＤレコーダ３が有する映像入力部３ａと電気的接続される。出力端子２ｅは、ケーブルによりＤＶＤレコーダ３が有する音声入力部３ｂと電気的接続される。
【００１９】
また、ＤＶＤレコーダ３が有する映像出力部３ｃは、ケーブルにより入力端子２ｆに電気的接続される。ＤＶＤレコーダ３が有する音声出力部３ｄは、ケーブルにより入力端子２ｉに電気的接続される。出力端子２ｈは、ケーブルによりオシロスコープ４と電気的接続される。出力端子２ｊも、ケーブルによりオシロスコープ４と電気的接続される。
【００２０】
映像信号出力装置１に映像信号を出力させると、映像信号は入力端子２ａおよび出力端子２ｂを介して映像入力部３ａに入力される。また、映像信号出力装置１が出力した映像信号は入力端子２ａを介してシンクセパレータ２ｃにも入力される。シンクセパレータ２ｃは入力された映像信号から垂直同期信号を抽出して、垂直同期信号をレベル調整回路２ｄに出力する。レベル調整回路２ｄは、入力された垂直同期信号を音声信号として適正なレベルに調整し、レベル調整された垂直同期信号を音声信号として出力端子２ｅを介して音声入力部３ｂに出力する。映像入力部３ａに入力される映像信号の垂直同期部と、音声入力部３ｂに入力される音声信号とは位相がほぼ同一となる。
【００２１】
そして、ＤＶＤレコーダ３が映像入力部３ａに入力された映像信号を映像出力部３ｃにスルー出力し、映像出力部３ｃから出力された映像信号は入力端子２ｆを介してシンクセパレータ２ｇに入力される。シンクセパレータ２ｇは入力された映像信号から垂直同期信号を抽出して、垂直同期信号を出力端子２ｈを介してオシロスコープ４に出力する。また、ＤＶＤレコーダ３が音声入力部３ｂに入力された音声信号を音声出力部３ｄにスルー出力し、音声出力部３ｄから出力された音声信号は入力端子２ｉおよび出力端子２ｊを介してオシロスコープ４に入力される。
【００２２】
そして、出力端子２ｈから入力された垂直同期信号および出力端子２ｊから入力された音声信号の波形がオシロスコープ４に表示され、表示された波形より垂直同期信号と音声信号の位相差をユーザが読み取る。
【００２３】
これにより、ＤＶＤレコーダのスルー出力におけるリップシンクを測定することができる。また、本発明に係るリップシンク測定システムでは、映像信号出力装置１が出力する映像信号に基づき音声入力部３ｂに入力させる音声信号を生成する構成であるので、音声信号を出力する装置を別途用意する必要がなく、測定コストを低減することができる。
【００２４】
また、映像入力部３ａに入力された映像信号および音声入力部３ｂに入力された音声信号をＤＶＤレコーダ３によりディスクに記録させ、その後、ディスクに記録された映像信号および音声信号をＤＶＤレコーダ３により再生させ、映像出力部３ｃから映像信号を入力端子２ｆに出力させ、音声出力部３ｄから音声信号を入力端子２ｉに出力させ、オシロスコープ４に表示された波形より垂直同期信号と音声信号の位相差をユーザが読み取るようにしてもよい。これにより、ＤＶＤレコーダの録画再生におけるリップシンクを測定することができる。
【００２５】
なお、以上の実施形態において、映像信号出力装置１が出力した映像信号を入力端子２ａおよび出力端子２ｂを介して映像入力部３ａに入力させる代わりに、映像信号出力装置１と映像入力部３ａとをケーブルにより電気的に接続し、映像信号を映像入力部３ａに入力させるようにしてもよい。また、音声出力部３ｄが出力した音声信号を入力端子２ｉおよび出力端子２ｊを介してオシロスコープ４に入力させる代わりに、音声出力部３ｄとオシロスコープ４とをケーブルにより電気的接続し、音声信号をオシロスコープ４に入力させるようにしてもよい。
【図面の簡単な説明】
【００２６】
【図１】は、本発明に係るリップシンク測定システムの概略構成図である。
【符号の説明】
【００２７】
１    映像信号出力装置
２    リップシンク測定用回路
２ａ    入力端子
２ｂ    出力端子
２ｃ    シンクセパレータ
２ｄ    レベル調整回路
２ｅ    出力端子
２ｆ    入力端子
２ｇ    シンクセパレータ
２ｈ    出力端子
２ｉ    入力端子
２ｊ    出力端子
３    ＤＶＤレコーダ
３ａ    映像入力部
３ｂ    音声入力部
３ｃ    映像出力部
３ｄ    音声出力部
４    オシロスコープ
【図１】
2008148084.tif 000003